(57)【特許請求の範囲】
【請求項１】
上下方向に所要有効長さａ＋Δａ相当に設定した保持主体部を有し、該保持主体部の下部に、長さΔａ相当の下部延長部を残した上で室内側対応面から上方へ向け屈曲延長される吊り下げ部を設けると共に、該吊り下げ部の上端部を弾性的に室内側対応面へ近接させて底部に支持ボトム面をもつ受け入れ空間部を形成させておき、カーテンの上縁折り返し部に形成される袋状部に吊り下げ部を嵌挿させ、かつ該上縁折り返し部を受け入れ空間部内に受け入れて弾圧的に掛け止め保持する合成樹脂製の吊り具部材と、
前記吊り具部材の保持主体部に上下摺動自在に嵌合され、かつ該保持主体部に対する高さ位置を選択的に設定して係着可能にしたフック主体部を有し、該フック主体部の窓側対応面から立ち上げて屈曲され、かつ該屈曲内面に吊り下げトップ面をもつフック部を設け、カーテンレールから摺動自在に吊下されるランナーのフックリングに該フック部の吊り下げトップ面を引掛け係着して支持点位置を定める合成樹脂製の位置決め駒部材とを備え、
前記保持主体部の下部延長部にも前記フック主体部を係着可能とすることによって、前記フック部の吊り下げトップ面を前記保持主体部に対して可及的に下方へ配置可能にしたことを特徴とするカーテン用吊り具装置。
【請求項２】
上下方向に所要有効長さａ＋Δａ相当に設定した保持主体部を有し、該保持主体部の下部に、長さΔａ相当の下部延長部を残した上で室内側対応面から上方へ向け屈曲延長される吊り下げ部を設けると共に、該吊り下げ部の上端部を弾性的に室内側対応面へ近接させて底部に支持ボトム面をもつ受け入れ空間部を形成させ、また、保持主体部の左右両側面部に、上縁部が前記支持ボトム面にほぼ一致し、かつ背面がほぼカーテンの窓側面に沿うように延出する少なくとも１対の支持片を一連的に形成させておき、カーテンの上縁折り返し部に形成される袋状部に吊り下げ部を嵌挿させ、かつ該上縁折り返し部を受け入れ空間部内に受け入れて弾圧的に掛け止め保持する合成樹脂製の吊り具部材と、
前記吊り具部材の保持主体部に上下摺動自在に嵌合され、かつ該保持主体部に対する高さ位置を選択的に設定して係着可能にしたフック主体部を有し、該フック主体部の窓側対応面から立ち上げて屈曲され、かつ該屈曲内面に吊り下げトップ面をもつフック部を設け、カーテンレールから摺動自在に吊下されるランナーのフックリングに該フック部の吊り下げトップ面を引掛け係着して支持点位置を定める合成樹脂製の位置決め駒部材とを備え、
前記保持主体部の下部延長部にも前記フック主体部を係着可能とすることによって、前記フック部の吊り下げトップ面を可及的に下方へ配置可能にし、かつ前記支持片の上縁に前記カーテンの上縁折り返し部の下端縫着部を受支させるようにしたことを特徴とするカーテン用吊り具装置。
【請求項３】
上下方向に所要有効長さａ＋Δａ相当に設定した保持主体部を有し、該保持主体部の下部に、長さΔａ相当の下部延長部を残した上で室内側対応面から上方へ向け屈曲延長される吊り下げ部を設けると共に、該吊り下げ部の上端部を弾性的に室内側対応面へ近接させて底部に支持ボトム面をもつ受け入れ空間部を形成させ、また、前記保持主体部の左右両側面部から延出する少なくとも１対の拘束片を一連的に形成させておき、カーテンの上縁折り返し部に形成される袋状部に吊り下げ部を嵌挿させ、かつ該上縁折り返し部を受け入れ空間部内に受け入れて弾圧的に掛け止め保持する合成樹脂製の吊り具部材と、
前記吊り具部材の保持主体部に上下摺動自在に嵌合され、かつ該保持主体部に対する高さ位置を選択的に設定して係着可能にしたフック主体部を有し、該フック主体部の窓側対応面から立ち上げて屈曲され、かつ該屈曲内面に吊り下げトップ面をもつフック部を設け、カーテンレールから摺動自在に吊下されるランナーのフックリングに該フック部の吊り下げトップ面を引掛け係着して支持点位置を定める合成樹脂製の位置決め駒部材とを備え、
前記保持主体部の下部延長部にも前記フック主体部を係着可能とすることによって、前記フック部の吊り下げトップ面を前記保持主体部に対して可及的に下方へ配置可能にし、かつ前記拘束片によって、前記カーテンの開披時に集束される該カーテン上部の畳み込みや横ぶれ等を抑制させるようにしたことを特徴とするカーテン用吊り具装置。
【発明の詳細な説明】
【技術分野】
【０００１】
本発明は、居室の窓部等に施されるカーテン用吊り具装置に関し、さらに詳しくは、該カーテンの上縁部を可及的に高めにも吊り下げ保持し得るようにすると共に、保持状態の安定化ならびに開披時に集束されるカーテン上部の畳み込みや横ぶれ等を抑制可能に改良したカーテン用吊り具装置に係るものである。
【背景技術】
【０００２】
従来例によるこの種のカーテン用吊り具装置として、本出願人が先に提案した特許文献１に記載の装置構成の概要を図１５ないし図２０に示す。
【０００３】
図１５は、本出願人の既提案に係るカーテン用吊り具装置の概要構成を示す外観斜視図であり、図１６，１７，１８は、同上吊り具装置の左側面図、背面図および図１６のＢ−Ｂ線部の横断面図である。また、図１９は、同上吊り具装置にカーテンを装着した状態の概要を示す外観斜視図であり、図２０は、同上カーテンを装着した状態における室内天井面およびカーテンと吊り具装置との高さ位置関係を説明する立面模式図である。
【０００４】
これらの図１５ないし図２０に示す装置構成において、既提案に係るカーテン用吊り具装置２は、カーテン１５０を掛け留めして吊り下げ保持する合成樹脂製の吊り具部材１１０と、該吊り具部材１１０に上下位置調整可能に摺動係合され、かつカーテンレール１６０のランナー１６１に引掛け係着する合成樹脂製の位置決め駒部材１３０との組み合わせからなっている。
【０００５】
吊り具部材１１０は、上下方向に所要長さａ１相当に設定した保持主体部１１１を有し、該保持主体部１１１には、窓側対応の背面に左右１組からなる下向き鋸歯状（ラック歯状）の係合凹部１１２，１１２と、背面に連接して対向する両側面に左右１対からなる凹状の案内溝１１３，１１３とを上下方向の全長に亘って形成すると共に、保持主体部１１１の室内対応の正面側に下端部から直接上方へ向けて屈曲された吊り下げ部１１４を形成した上で、該吊り下げ部１１４に支持ボトム面１１７のある受け入れ空間部１１６を形成してある。
【０００６】
位置決め駒部材１３０は、吊り具部材１１０の各凹状案内溝１１３，１１３に対向する各案内凸部１３２，１３２を窓側対応の背面側から嵌挿させることで保持主体部１１１に沿って上下摺動自在なフック主体部１３１を有しており、該フック主体部１３１には、窓側対応の該当する背面中央部に立上げ屈曲させた吊り下げトップ面１３４のあるフック部１３３を設け、さらに、該フック部１３３の左右両側部に各係合凹部１１２，１１２へ弾性的に係合させることで保持主体部１１１に対する上下方向高さ位置を選択的に設定し得る左右１組の係合舌片１３５，１３５を突設してある。
【０００７】
また、カーテン１５０は、よく知られているように、カーテン地１５１の上縁折り返し部１５２を窓側対応に吊り下げ部１１４の上下方向長さ相当分だけ折り返すと共に、該折り返し下端部を縫着して縫着部１５３とし、かつ適宜幅間隔毎に室内対応側へ襞寄せ部１５４を形成する。そして、上記構成のカーテン用吊り具装置２は、保持主体部１１１の吊り下げ部１１４を襞寄せ部１５４で形成される袋状部内に挿通させ、かつ上縁折り返し部１５２を受け入れ空間部１１６内に受け入れ、該上縁折り返し部１５２を弾性的に挟圧支持して掛け止め保持するようになっている。
【０００８】
さらに、カーテンレール１６０は、通常の場合、図２０からも明らかな如く、室内天井面１７１との間に間隔を隔てた窓側対応の上部框部もしくは上部内壁面１７０等から室内側へ突設支持されており、該カーテンレール１６０からは、所要個数の下端にフックリング１６２を有するランナー１６１が摺動自在に吊下されている。この状態で、上記カーテン１５０を掛け止め保持した位置決め駒部材１３０のフック部１３３、ひいては、該フック部１３３の吊り下げトップ面１３４をフックリング１６２に引掛け係着させることで、上記窓部へのカーテン１５０の懸架と開閉操作可能な張設を行うのである。
【０００９】
従って、上記のようにカーテン用吊り具装置２を用いて懸架されるカーテン１５０は、フックリング１６２に対するフック部１３３の吊り下げトップ面１３４の引掛け係着のもとで、吊り下げ部１１４の上端部による折り返し部１５２の折り返し内面の支持と、支持ボトム面１１７による折り返し部１５２の下縁縫着部１５３の支持とで保持される。一方、該懸架状態でのカーテン１５０の上下方向高さは、保持主体部１１１の各係合凹部１１２，１１２への位置決め駒部材１３０の各係合舌片１３５，１３５の選択される係合位置に設定されるが、この懸架状態を単純に言い換えると、カーテン１５０の高さ位置は、吊り下げトップ面１３４と支持ボトム面１１７との間の相対的な距離（間隔寸法）に依存していることになる。
【特許文献１】実用新案登録第３０２３３０３号公報
【発明の開示】
【発明が解決しようとする課題】
【００１０】
ところで、上記カーテン１５０の利用者等による高さ位置の設定については、該カーテン１５０の上縁部、つまり、折り返し部１５２の上縁部をできるだけ高く、室内天井面１７１に近付けることにより、室内からカーテンレールが見えない状態でカーテンを保持、使用したい場合がある。
【００１１】
しかしながら、上記既提案のカーテン用吊り具装置２の場合、該カーテン１５０の懸架高さ位置は、室内天井面１７１からフック部１３３の吊り下げトップ面１３４までの固定化された高さ寸法Ｈの位置１７２を基準点にとった上で、該基準位置１７２に対する吊り下げ部１１４の支持ボトム面１１７の相対的な間隔寸法を各係合凹部１１２，１１２の各係合段への各係合舌片１３５，１３５の係合位置で設定するようにしており、しかも、この場合には、保持主体部１１１の下端部から吊り下げ部１１４を直接上方へ屈曲形成させ、かつフック主体部１３１からフック部１３３を立上げ形成させているために、極めて当然のことながら、該保持主体部１１１の各係合凹部１１２，１１２に対するフック主体部１３１の係合位置、ひいては、該選択係合に伴うカーテン１５０の高さ位置の設定にも自ら限界を生じ、たとえ、各係合凹部１１２，１１２の最下段にフック主体部１３１を係合させたとしても、吊り下げトップ面１３４と支持ボトム面１１７との間には、必然的に未だ十分な間隔寸法が残されてしまい、これによってカーテン１５０の最高位置が制限され、該カーテン１５０の上縁辺を室内天井面１７１に可及的に近付けたいという要望には到底応えられないものであった。
【００１２】
一方、カーテン１５０のそれ自体についても、現今では、高級品とも呼ばれる比較的厚目で重さの大きい生地を使用する場合もあり、上記既提案のカーテン用吊り具装置２においては、この重さの大きいカーテン１５０の折り返し下縁の縫着部１５３を受け入れ空間部１１６内の比較的支持幅の狭い支持ボトム面１１７で保持させているので、該下縁縫着部１５３がいわば集中的に点支持されることになって大きな負荷荷重がかけられ、極めて傷み易いという不利がある。
【００１３】
また、カーテン１５０は、日常の使用に際して比較的頻繁に開閉されることが多く、開披した状態では、窓側の側方に片寄せて集束されるため、特に、保持主体部１１１の吊り下げ部１１４で保持した折り返し部１５２を含むカーテン上部に畳み込み癖が現出して全体の外観を損ね易くなり、カーテン１５０の保持態様として必ずしも適切なものではなかった。さらに、従来のカーテン用吊り具装置においては、カーテンの開閉などに伴ない、カーテン用吊り具が横にぶれる、つまり、保持主体部１１１が縦方向の軸の周りに回転して該吊り具のフック部がカーテンの面に対して適正な垂直の方向ではなく、斜めに曲がってしまい、その結果、カーテンそのものまでが曲がって保持されてしまうことが防ぎきれなかった。
【００１４】
本発明は、このような従来の各問題点をそれぞれに解消するためになされたもので、その第１の目的とするところは、カーテンの高さ位置設定の自由度を増して可及的に室内天井面に近付け得るようにしたカーテン用吊り具装置を提供することである。
【００１５】
また、第２の目的とするところは、カーテンの懸架保持を受け入れ空間部内の支持ボトム面のみに集中させずに、その荷重分散を効果的に図り得るようにしたカーテン用吊り具装置を提供することである。
【００１６】
さらに、第３の目的とするところは、カーテンの開披による片側への集束に際して、該カーテンの上方懸架保持部に生じ易い畳み込み癖やカーテンと吊り具の横ぶれを効果的に抑制可能にしたカーテン用吊り具装置を提供することである。
【課題を解決するための手段】
【００１７】
上記目的を達成するため、第1に、本発明のカーテン用吊り具装置は、上下方向に所要有効長さａ＋Δａ相当に設定した保持主体部を有し、該保持主体部の下部に、長さΔａ相当の下部延長部を残した上で室内側対応面から上方へ向け屈曲延長される吊り下げ部を設けると共に、該吊り下げ部の上端部を弾性的に室内側対応面へ近接させて底部に支持ボトム面をもつ受け入れ空間部を形成させておき、カーテンの上縁折り返し部に形成される袋状部に吊り下げ部を嵌挿させ、かつ該上縁折り返し部を受け入れ空間部内に受け入れて弾圧的に掛け止め保持する合成樹脂製の吊り具部材と、前記吊り具部材の保持主体部に上下摺動自在に嵌合され、かつ該保持主体部に対する高さ位置を選択的に設定して係着可能にしたフック主体部を有し、該フック主体部の窓側対応面から立ち上げて屈曲され、かつ該屈曲内面に吊り下げトップ面をもつフック部を設け、カーテンレールから摺動自在に吊下されるランナーのフックリングに該フック部の吊り下げトップ面を引掛け係着して支持点位置を定める合成樹脂製の位置決め駒部材とを備え、前記保持主体部の下部延長部にも前記フック主体部を係着可能とすることによって、前記フック部の吊り下げトップ面を可及的に下方へ配置可能にし、これによって前記カーテンの上縁部位置を可及的に高く設定できるようにしたことを特徴としている。
【００１８】
上記カーテン用吊り具装置では、吊り具部材における保持主体部の下部に長さΔａの下部延長部を形成したので、該下部延長部の長さΔａ相当分だけ、保持主体部がカーテンの上縁折り返し部の下方へ長くなり、結果的に懸架保持されるカーテンの高さ位置を可及的に高く設定することが可能になる。
【００１９】
第2に、本発明のカーテン用吊り具装置は、上下方向に所要有効長さａ＋Δａ相当に設定した保持主体部を有し、該保持主体部の下部に、長さΔａ相当の下部延長部を残した上で室内側対応面から上方へ向け屈曲延長される吊り下げ部を設けると共に、該吊り下げ部の上端部を弾性的に室内側対応面へ近接させて底部に支持ボトム面をもつ受け入れ空間部を形成させ、また、保持主体部の左右両側面部に、上縁部が前記支持ボトム面にほぼ一致し、かつ背面がほぼカーテンの窓側面に沿うように延出する少なくとも１対の支持片を一連的に形成させておき、カーテンの上縁折り返し部に形成される袋状部に吊り下げ部を嵌挿させ、かつ該上縁折り返し部を受け入れ空間部内に受け入れて弾圧的に掛け止め保持する合成樹脂製の吊り具部材と、前記吊り具部材の保持主体部に上下摺動自在に嵌合され、かつ該保持主体部に対する高さ位置を選択的に設定して係着可能にしたフック主体部を有し、該フック主体部の窓側対応面から立ち上げて屈曲され、かつ該屈曲内面に吊り下げトップ面をもつフック部を設け、カーテンレールから摺動自在に吊下されるランナーのフックリングに該フック部の吊り下げトップ面を引掛け係着して支持点位置を定める合成樹脂製の位置決め駒部材とを備え、前記保持主体部の下部延長部にも前記フック主体部を係着可能とすることによって、前記フック部の吊り下げトップ面を可及的に下方へ配置可能にし、かつ前記支持片の上縁に前記カーテンの上縁折り返し部の下端縫着部を受支させるようにしたことを特徴としている。
【００２０】
上記カーテン用吊り具装置では、支持片によってカーテンが懸架保持されるため、該カーテンの自重が効果的に分散され、保持部分である下縁縫着部を傷める惧れがないという追加的作用効果を有する。
【００２１】
第3に、本発明のカーテン用吊り具装置は、上下方向に所要有効長さａ＋Δａ相当に設定した保持主体部を有し、該保持主体部の下部に、長さΔａ相当の下部延長部を残した上で室内側対応面から上方へ向け屈曲延長される吊り下げ部を設けると共に、該吊り下げ部の上端部を弾性的に室内側対応面へ近接させて底部に支持ボトム面をもつ受け入れ空間部を形成させ、また、前記下部延長部を包含する前記保持主体部の左右両側面部から延出する少なくとも１対の拘束片を一連的に形成させておき、カーテンの上縁折り返し部に形成される袋状部に吊り下げ部を嵌挿させ、かつ該上縁折り返し部を受け入れ空間部内に受け入れて弾圧的に掛け止め保持する合成樹脂製の吊り具部材と、前記吊り具部材の保持主体部に上下摺動自在に嵌合され、かつ該保持主体部に対する高さ位置を選択的に設定して係着可能にしたフック主体部を有し、該フック主体部の窓側対応面から立ち上げて屈曲され、かつ該屈曲内面に吊り下げトップ面をもつフック部を設け、カーテンレールから摺動自在に吊下されるランナーのフックリングに該フック部の吊り下げトップ面を引掛け係着して支持点位置を定める合成樹脂製の位置決め駒部材とを備え、前記保持主体部の下部延長部にも前記フック主体部を係着可能とすることによって、前記フック部の吊り下げトップ面を可及的に下方へ配置可能にし、かつ前記拘束片によって、前記カーテンの開披（集束）時に集束される該カーテン上部の畳み込みや横ぶれ（保持主体部の軸周り回転）等を抑制させるようにしたことを特徴としている。
【００２２】
上記カーテン用吊り具装置では、拘束片により、開披時に集束されるカーテン上部の畳み込み癖や横ぶれ等が効果的に抑制されるという追加的作用効果を有する。
【発明の効果】
【００２３】
本発明に係るカーテン用吊り具装置によれば、第1に、有効長さａ＋Δａ相当の保持主体部に設定される有効長さΔａ相当の下部延長部によって、フック部の吊り下げトップ面に対する受け入れ空間部の支持ボトム面の間隔寸法を比較的大きく調整することができ、これによってカーテンの上縁部位置を従来に比較して高めにも設定することができるのであり、極めて簡単な構成であるのにも拘らず実用上の優れた効果を期待し得るものである。
【００２４】
本発明のカーテン用吊り具装置によれば、第２に、支持片によってカーテンを懸架保持させるようにしたので、カーテンの自重が良好に分散されて保持部分の下縁縫着部を傷める惧れが効果的に解消されるという追加的な特有の利点がある。
【００２５】
本発明のカーテン用吊り具装置によれば、第３に、拘束片によって開披時に集束されるカーテン上部の畳み込み癖や集束襞等の発生及びカーテンと吊り具装置の横ぶれの発生を効果的に抑制できるという追加的な特有の利点がある。
【発明を実施するための最良の形態】
【００２６】
以下、本発明に係るカーテン用吊り具装置の各別の実施形態につき、図１ないし図１４を参照して詳細に説明する。
【００２７】
<第１の実施形態>
図１は、本発明の第１の実施形態を適用したカーテン用吊り具装置の概要構成を示す外観斜視図であり、図２，３，４は、同上吊り具装置の左側面図、背面図および図２Ａ−Ａ線部の横断面図である。また、図５は、同上吊り具装置にカーテンを装着した状態の概要を示す外観斜視図であり、図６は、同上カーテンを装着した状態における室内天井面およびカーテンと吊り具装置との高さ位置関係を説明する立面模式図である。
【００２８】
これらの図１ないし図６に示す第１の実施形態による装置構成において、本カーテン用吊り具装置１は、カーテン５０を吊り下げ保持する吊り具部材１０と、該吊り具部材１０に対して上下位置調整可能に摺動係合され、かつカーテンレール６０のランナー６１に掛け留め係着して上下方向位置を固定的に位置決め係止する位置決め駒部材３０との組み合わせからなっており、これらの各部材１０，３０は、弾性を有する比較的硬質の合成樹脂材料によってそれぞれに一体化成形されている。これは、以下の各実施形態についても同様である。
【００２９】
前記吊り具部材１０は、図１ないし図４から明らかな如く、骨幹部となる上下方向に所要有効長さａ＋Δａ相当（詳細については後述）に設定した保持主体部１１を有しており、該保持主体部１１には、窓側となる背面に左右１組からなる下向き鋸歯状（ラック歯状）をした係合凹部１２，１２と、該窓側背面に連接する左右両側面に対向して左右１対からなる凹状をした案内溝１３，１３とのそれぞれが上下方向の全長に亘って形成されている。また、前記保持主体部１１の室内側正面の下方部分からは、前記下部側の所要有効長さΔａ相当による下部延長部（詳細については後述）１５の部分を残した状態で上方に向け屈曲させた吊り下げ部１４を延設すると共に、該吊り下げ部１４の上端部を弾性的に室内側正面へ近接させることにより、これらの相互間の底部に支持ボトム面１７をもつ受け入れ空間部１６を形成してある。なお、前記吊り下げ部１４の保持主体部（１１）側の面もしくは保持主体部１１の窓側背面に対してカーテンを挟圧もしくは脱落を防止のために突起、歯部（図面参照）などの公知手段を設けることは任意であり、これは、以下の各実施形態についても同様である。
【００３０】
前記位置決め駒部材３０は、特に、図１および図４によって明らかな如く、前記吊り具部材１０の各凹状案内溝１３，１３に対向する各案内凸部３２，３２を窓側背面該当側からそれぞれに嵌挿させることで、前記保持主体部１１に沿わせて上下摺動自在にされるフック主体部３１を有しており、該フック主体部３１には、窓側背面該当の中央部に立上げ屈曲させて吊り下げトップ面３４をフック内面部にもつフック部３３を設けると共に、該フック部３３の立上げ部の左右両側に前記各係合凹部１２，１２の各段に弾性的に係合させることで、保持主体部１１に対する上下方向高さ位置を任意かつ選択的に設定し得るようにした左右１組の係合舌片３５，３５を突設してある。
【００３１】
また、前記カーテン５０については、図５によって明らかな如く、カーテン地５１の上縁折り返し部５２を前記吊り下げ部１４の上下縦方向長さｂ相当に窓側へ折り返した上で、該折り返し縁部を任意に縫着して縫着部５３にすると共に、適宜幅方向間隔毎に室内相当側へ襞寄せ部（一つ襞、二つ襞もしくは三つ襞の何れの場合をも問わない）５４を形成させた公知の形式態様のものであれば任意に用いることができる。そして、この場合、上記構成によるカーテン用吊り具装置１は、保持主体部１１の吊り下げ部１４を襞寄せ部５４によって形成される袋状部内に挿通させることにより、上縁折り返し部５２を受け入れ空間部１６内一杯に受け入れると共に、該上縁折り返し部５２を弾性的に挟圧支持して掛け止め保持するようになっている。
【００３２】
さらに、前記カーテンレール６０は、図６からも明らかな如く、公知様式で窓側の上部框部もしくは上部壁面７０等から室内側へ突設されており、該カーテンレール６０からは、下端にフックリング６２を設けて摺動自在な所要個数のランナー６１が吊下されている。そして、フックリング６２に対しては、上記カーテン５０を掛け止め保持している吊り具装置１での上下方向高さ位置を設定した位置決め駒部材３０のフック部３３をフッキングして引掛け係着させることで、上記窓部へのカーテン５０の懸架と開閉操作可能な張設を行うのである。
【００３３】
ここで、上記のように本第１の実施形態によるカーテン用吊り具装置１を用いることでカーテン５０を懸架した状態では、該カーテン５０のそれ自体が、フックリング６２へのフック部３３の吊り下げトップ面３４による引掛け係着のもとで、吊り下げ部１４の上端部による折り返し部５２の折り返し内面の支持と、支持ボトム面１７による折り返し部５２の下縁縫着部５４部分の支持とでそれぞれに保持される。一方、該懸架状態でのカーテン５０の上下縦方向の高さ位置については、保持主体部１１の各係合凹部１２，１２への位置決め駒部材３０の各係合舌片３５，３５の係合段によって設定されるもので、これを単純に言い換えると、カーテン５０の高さ位置の設定は、吊り下げトップ面３４と支持ボトム面１７との間の相対的な距離（間隔寸法）に依存することになる。
【００３４】
先にも述べたように、従来例のカーテン用吊り具装置（本出願人の既提案に係るカーテン用吊り具装置）２においては、先の図１５ないし図２０、特に、図２０を参照して、室内天井面１７１からフック部１３３の吊り下げトップ面１３４までの固定化された高さ寸法Ｈの位置１７２を基準点にした上で、該基準位置１７２に対する吊り下げ部１１４の支持ボトム面１１７の相対的な距離（間隔寸法）につき、各係合凹部１１２，１１２の各係合段への各係合舌片１３５，１３５の係合位置を任意に選択し、これによってカーテン１５０の懸架高さ位置を設定するようにしており、合わせて保持主体部１１１の下端部から吊り下げ部１１４を直接上方へ屈曲形成させ、かつフック主体部１３１からフック部１３３を立上げ形成させていることから、該保持主体部１１１の各係合凹部１１２，１１２に対するフック主体部１３１の選択係合によるカーテン１５０の高さ位置の設定に限界を生じ、該カーテン１５０の上縁辺を室内天井面１７１に可及的に接近させることが困難なものであった。
【００３５】
上記従来例構成のカーテン用吊り具装置２の保持主体部１１１、つまり、上下縦方向に所要有効長さａ相当に設定されている保持主体部１１１に比較して、本第１の実施形態によるカーテン用吊り具装置１では、保持主体部１１の長さを上下方向に所要有効長さａ＋Δａ相当に設定すると共に、該保持主体部１１での下部側に該当する所要有効長さΔａ相当の下部延長部（従来よりも下方へ長く延長された部分）１５を除く部分から、吊り下げ部１４を上方に向けて屈曲形成させているために、支持ボトム面１７よりも下方に各係合凹部１２，１２が有効に連続して存在することになる。ここで、保持主体部１１の下部延長部１５の長さ（Δａ）には特に制限はなく、必要により、図示したものよりもより長くまたは短くすることができる。例えば、Δａ＝ａ／２、またはΔａ＝ａなどとなるようにしてもよい。
【００３６】
従って、保持主体部１１の各係合凹部１２，１２に対するフック主体部３１の選択係合が該下部延長部１５の有効長さΔａ相当分だけ下部側へ延長されて拡大し、これに対応して吊り下げトップ面３４と支持ボトム面１７との間の間隔寸法範囲もまた下部側へのみ拡大され、ここでは、必要に応じて該間隔寸法を十分に狭めることができる。すなわち、これを言い換えると、カーテン１５０の高さ位置の設定に自由度が増すことになり、該カーテン１５０の上縁辺を室内天井面７１に対して効果的に接近させ得るのである。これにより、位置決め駒部材が保持主体部上を移動可能なスライド長さが、従来なかった下部延長部の分だけ長く得られる。さらに、前記第１の実施形態によるカーテン用吊り具装置１によれば、位置決め駒部材３０を引き下げてカーテンレールランナー６１のフックリング６２に掛けた場合、つまり保持主体部１１の下部延長部１５に近い位置に位置決め駒部材３０を係合させた場合において、保持主体部１１が下部延長部３０を有するためにカーテン用吊り具装置１での重心が高い位置にある（図１５などに示した従来例構成で下部延長部を有さないものに比べて相対的に吊り具装置の重心が上の方にある）。その結果、室内側にカーテンが傾くのを阻止することができて、カーテンの見栄えがよいという利点もある。また、従来例構成のカーテン用吊り具装置２では、特に保持主体部１１１の最下部付近（吊り下げ部１１４への湾曲部付近）の係合凹部に位置決め駒部材１３０を係合させた場合に支点となる吊り下げトップ面１３４と吊り具装置の最下端部の距離が近くなるために吊り具装置の重心も相対的に低い位置に移動してしまう。その結果、吊り具装置が保持主体部１１１の最下端部を壁面１７０に近づけて傾倒してしまい、吊り下げられたカーテンも同様に壁面（または窓面）１７０側に傾いてしまうので見栄えが悪かった。本発明によれば、本第１の実施形態のように保持主体部の下部延長部を設けることで、このようなカーテンの傾きを有効に抑制できるものである。さらに、下部延長部によれば、その（下方への）長さに応じてカーテンと接触してその揺動、横ぶれなどを抑制することができる。
【００３７】
ここで、本第１の実施形態においては、吊り具部材１０での保持主体部１１の下向き鋸歯状（ラック歯状）の各係合凹部１２，１２を窓側背面に形成し、かつ位置決め駒部材３０での係合舌片３５，３５を該係合凹部１２，１２に対応する面に形成しているが、必ずしもこのような態様にのみ限定されるものではなく、例えば、各結合凹部と対応する結合舌片を両側面側に配置するようにしてもよく、また結合舌片を設ける位置をフック部から延長して設けた足部の先端部とするなど公知のいかなる態様を採用してもよいことは勿論であり、また、位置決め駒部材の形状についても何ら制限はなく公知のいかなる形状としてもよく、これらの点については、以下の各実施形態の場合も全く同様である。
【００３８】
<第２の実施形態>
図７は、本発明の第２の実施形態を適用したカーテン用吊り具装置の概要構成を示す外観斜視図であり、図８，９は、同上吊り具装置の左側面図および背面図である。また、図１０は、同上吊り具装置にカーテンを装着した状態の概要を示す外観斜視図である。
【００３９】
これらの図７ないし図１０に示す第２の実施形態による装置構成は、上記第１の実施形態による装置構成において、前記保持主体部１１での左右の両側部に対し、その支持ボトム面１７に一致またはほぼ一致させた所要幅方向長さ範囲の各支持片２１，２１を一連的に形成させておき、該各支持片２１，２１の上縁部２２，２２によって前記受け入れ空間１６内に受け入れる上縁折り返し部５２の折り返し縁部、ここでは、縫着部５３の下縁該当部を支持させるようにしたものである。なお、図中、各支持片２１、２１を、正面から見て略長方形状のものとして表したが、支持片の形状はこれに限定されるものではなく、略正方形状、略円弧状などとしてもよい。また、支持片の大きさについても特に制限はない。
【００４０】
従って、上記第２の実施形態の構成では、受け入れ空間１６内に受け入れられる上縁折り返し部５２での縫着部５３の該当下縁部が支持ボトム面１７と一連的にされた各支持片２１，２１の上縁部２２，２２によって支持されるために、上記第１の実施形態の場合でのように、縫着部５３の下縁該当部が支持ボトム面１７のみで支持されるものとは異なって該支持ボトム面１７、ひいては、吊り下げ部１４に負荷されるカーテン荷重が分散されると共に、これに合わせて比較的僅かな保持面積にしか過ぎない支持ボトム面１７のみによる保持で傷み易い縫着部５３の下縁該当部を容易に保護することが可能になる。
【００４１】
ここで、本第２の実施形態の構成においては、保持主体部１１の左右の両側部に各一対の支持片２１，２１を設けているが、左右両側部にそれぞれ２対以上の各支持片２１、２１を設けるようにしてもよい。
【００４２】
<第３の実施形態>
図１１は、本発明の第３の実施形態を適用したカーテン用吊り具装置の概要構成を示す外観斜視図であり、図１２，１３は、同上吊り具装置の左側面図および背面図である。また、図１４は、同上吊り具装置にカーテンを装着した状態の概要を示す外観斜視図である。
【００４３】
これらの図１１ないし図１４に示す第３の実施形態による装置構成は、上記第１の実施形態による装置構成において、前記保持主体部１１の下部延長部１５を設けず、その代わり、前記保持主体部１１の受け入れ空間部１６の形成範囲内対応の左右の両側部に対し、所要幅および所要上下長さ範囲の各拘束片２５，２５を一連に形成させておき、前記カーテン５０の開披（集束）に際し、これらの各拘束片２５，２５によって前記上縁折り返し部５２での頻繁な畳み込みによる畳み込み癖や集束皺の発生並びにカーテンに対する吊り具装置の横ぶれの発生を可及的に抑止させるようにすると共に、該発生に伴うカーテン５０自体の汚れや老化等を効果的に避け得るようにしたものである。なお、各拘束片２５、２５の形状、大きさ、設置位置及び数は図示したものに制限されることはなく、拘束片の形状としては略円弧状や略正方形状などでもよく、その大きさにも特に制限はなく、その設ける位置も保持主体部の上端部側により近くまたはより遠くに設けてもよい。
【００４４】
ここでも、本第３の実施形態の構成においては、保持主体部１１での左右の両側部に各一対の拘束片２５，２５を設けているが、それぞれ２対以上の各拘束片２５、２５を設けるようにしてもよく、また、下部延長部１５を有する保持主体部１１に対して下部延長部の側面部に各拘束片２５，２５を設けてもよい。さらに、本発明においては、一形態として前記第１、第２及び第３の実施形態をすべて適用することもできる。すなわち、カーテン用吊り具装置として前記保持主体部の下部延長部、前記支持片、及び前記拘束片をすべて有する構造としたものも本発明に包含されるものである。
【図面の簡単な説明】
【００４５】
【図１】本発明の第１の実施形態を適用したカーテン用吊り具装置の概要構成を示す外観斜視図である。
【図２】同上吊り具装置の左側面図である。
【図３】同上吊り具装置の背面図である。
【図４】同上吊り具装置の図１Ａ−Ａ線部の横断面図である。
【図５】同上吊り具装置にカーテンを装着した状態の概要を示す外観斜視図である。
【図６】同上カーテンを装着した状態における室内天井面およびカーテンと吊り具装置との高さ位置関係を説明する立面模式図である。
【図７】本発明の第２の実施形態を適用したカーテン用吊り具装置の概要構成を示す外観斜視図である。
【図８】同上吊り具装置の左側面図である。
【図９】同上吊り具装置の背面図である。
【図１０】同上吊り具装置にカーテンを装着した状態の概要を示す外観斜視図である。
【図１１】本発明の第３の実施形態を適用したカーテン用吊り具装置の概要構成を示す外観斜視図である。
【図１２】同上吊り具装置の左側面図である。
【図１３】同上吊り具装置の背面図である。
【図１４】同上吊り具装置にカーテンを装着した状態の概要を示す外観斜視図である。
【図１５】従来例によるカーテン用吊り具装置の概要構成を示す外観斜視図である。
【図１６】同上吊り具装置の左側面図である。
【図１７】同上吊り具装置の背面図である。
【図１８】同上吊り具装置の図２１Ｂ−Ｂ線部の横断面図である。
【図１９】同上吊り具装置にカーテンを装着した状態の概要を示す外観斜視図である。
【図２０】同上カーテンを装着した状態における室内天井面およびカーテンと吊り具装置との高さ位置関係を説明する立面模式図である。
【符号の説明】
【００４６】
１ カーテン用吊り具装置
１０ 吊り具部材
１１ 保持主体部
１２ 係合凹部
１３ 案内溝
１４ 吊り下げ部
１５ 下部延長部
１６ 受け入れ空間
１７ 支持ボトム面
２１ 支持片
２２ 上縁部
２５ 拘束片
３０ 位置決め駒部材
３１ フック主体部
３２ 案内凸部
３３ フック部
３４ 吊り下げトップ面
３５ 係合舌片
５０ カーテン
５１ カーテン地
５２ 上縁折り返し部
５３ 縫着部
５４ 襞寄せ部
６０ カーテンレール
６１ ランナー
６２ フックリング
【図１】
0004608503.tif 000002
【図２】
0004608503.tif 000003
【図３】
0004608503.tif 000004
【図４】
0004608503.tif 000005
【図５】
0004608503.tif 000006
【図６】
0004608503.tif 000007
【図７】
0004608503.tif 000008
【図８】
0004608503.tif 000009
【図９】
0004608503.tif 000010
【図１０】
0004608503.tif 000011
【図１１】
0004608503.tif 000012
【図１２】
0004608503.tif 000013
【図１３】
0004608503.tif 000014
【図１４】
0004608503.tif 000015
【図１５】
0004608503.tif 000016
【図１６】
0004608503.tif 000017
【図１７】
0004608503.tif 000018
【図１８】
0004608503.tif 000019
【図１９】
0004608503.tif 000020
【図２０】
0004608503.tif 000021